(57)【要約】【課題】従来のＰＯＳ端末では、顧客の様々なカードや支払い方法に対応できなかった。【解決手段】決済機能を有する携帯装置３および記録制御装置２と接続可能な記録装置１であって、前記記録制御装置２から決済情報を受信する通信部１３１と、前記携帯装置３が近接したことを検出する検出部１１９と、前記携帯装置３に対し決済処理を行う決済処理部１３３と、記録媒体１０９に対し記録を行う記録部１０１と、を備え、前記通信部１３１が前記記録制御装置２から前記決済情報を受信したときにおいて、前記検出部１１９が前記携帯装置３が近接したことを検出した場合、前記決済処理部１３３は、前記携帯装置３に対し決済処理を行い、前記検出部１１９が前記携帯装置３が近接したことを検出しない場合、前記記録部１０１は、前記記録媒体１０９に対し前記決済情報を記録する。【選択図】図１
2012208764.tif 000002
【特許請求の範囲】
【請求項１】
決済機能を有する携帯装置および記録制御装置と接続可能な記録装置であって、
前記記録制御装置から決済情報を受信する通信部と、
前記携帯装置が近接したことを検出する検出部と、
前記携帯装置に対し決済処理を行う決済処理部と、
記録媒体に対し記録を行う記録部と、を備え、
前記通信部が前記記録制御装置から前記決済情報を受信したときにおいて、
前記検出部が前記携帯装置が近接したことを検出した場合、前記決済処理部は、前記携帯装置に対し決済処理を行い、
前記検出部が前記携帯装置が近接したことを検出しない場合、前記記録部は、前記記録媒体に対し前記決済情報を記録することを特徴とする記録装置。
【請求項２】
前記携帯装置と無線通信をする無線通信部を備え、
前記検出部は、前記無線通信部であり、前記携帯装置が近接したことを、前記携帯装置からの無線通信を検知したことにより検出することを特徴とする請求項１に記載の記録装置。
【請求項３】
操作部を備え、
前記通信部が前記記録制御装置から前記決済情報を受信したとき、前記携帯装置が近接したことを前記検出部が検出しており、
前記操作部からの入力がある場合、前記決済処理部は前記携帯装置に対し決済処理をし、
前記操作部からの入力がない場合、前記記録部は前記記録媒体に対し前記決済情報を記録することを特徴とする請求項１または２に記載の記録装置。
【請求項４】
前記決済処理部は前記携帯装置により前記決済情報に基づく決済が可能かを判断し、
決済が可能と判断した場合、前記決済処理部は、前記携帯装置に対し決済処理をし、
決済が可能でないと判断した場合、前記記録部は前記記録媒体に対し前記決済情報を記録することを特徴とする請求項１ないし３のいずれかに一項に記載の記録装置。
【請求項５】
タイマーを備え、
前記決済処理部は前記携帯装置に対し決済処理をする場合、前記タイマーに基づき処理する時刻の情報を含めて決済処理をし、
前記記録部は前記記録媒体に対し前記決済情報を記録する場合、前記タイマーに基づき記録する時刻の情報を含めて記録することを特徴とする請求項１ないし４のいずれか一項に記載の記録装置。
【請求項６】
前記決済処理部は、前記携帯装置に対し決済処理をした場合、前記記録制御装置に対し前記決済処理をした旨の情報を送信することを特徴とする請求項１ないし５のいずれかに一項に記載の記録装置。
【請求項７】
決済機能を有する携帯装置および記録制御装置と接続可能な記録装置の制御方法であって、
前記記録制御装置から決済情報を受信したときにおいて、
前記携帯装置が近接したことを検出した場合、前記携帯装置に対し決済処理を行い、
前記携帯装置が近接したことを検出しない場合、記録媒体に対し前記決済情報を記録することを特徴とする記録装置の制御方法。
【請求項８】
決済機能を有する携帯装置および記録制御装置と接続可能な記録装置の各部を制御する制御部が実行するプログラムであって、
前記記録制御装置から決済情報を受信したときにおいて、
前記携帯装置が近接したことを検出した場合、前記携帯装置に対し決済処理を行い、
前記携帯装置が近接したことを検出しない場合、記録媒体に対し前記決済情報を記録することを特徴とするプログラム。
【発明の詳細な説明】
【技術分野】
【０００１】
本発明は、記録装置、記録装置の制御方法、およびプログラムに関する。
【背景技術】
【０００２】
従来、例えば、特許文献１に記載されているように、携帯電話により電子マネーを利用して決済を行うＰＯＳ端末が知られていた。
【先行技術文献】
【特許文献】
【０００３】
【特許文献１】特開２００９−１５６６２号公報
【発明の概要】
【発明が解決しようとする課題】
【０００４】
しかしながら、特許文献１に記載のＰＯＳ端末では、いわゆる電子マネーの機能を有する携帯電話を所持していない顧客には対応できなく、顧客の様々なカードや支払い方法に対応できないという課題があった。また、既に店舗に設置されているＰＯＳ端末に新たに電子マネーの対応をすることは、費用や時間が掛かる。
【課題を解決するための手段】
【０００５】
本発明は、上述の課題の少なくとも一部を解決するためになされたものであり、以下の形態または適用例として実現することが可能である。
【０００６】
［適用例１］決済機能を有する携帯装置および記録制御装置と接続可能な記録装置であって、前記記録制御装置から決済情報を受信する通信部と、前記携帯装置が近接したことを検出する検出部と、前記携帯装置に対し決済処理を行う決済処理部と、記録媒体に対し記録を行う記録部と、を備え、前記通信部が前記記録制御装置から前記決済情報を受信したときにおいて、前記検出部が前記携帯装置が近接したことを検出した場合、前記決済処理部は、前記携帯装置に対し決済処理を行い、前記検出部が前記携帯装置が近接したことを検出しない場合、前記記録部は、前記記録媒体に対し前記決済情報を記録することを特徴とする記録装置。
【０００７】
この構成によれば、通信部が記録制御装置から決済情報を受信したとき、決済機能を有する携帯電話やカード（携帯装置）が近接したことを検出部が検出しない場合、記録部は記録媒体に対し決済情報を記録し、通信部が記録制御装置から決済情報を受信したとき、携帯装置が近接したことを検出部が検出した場合、決済処理部は携帯装置に対し決済処理をするため、決済機能を有する携帯電話を所持する顧客に対して電子マネーによる支払いが可能であり、決済機能を有する携帯電話を所持していない顧客に対しては、レシートを発行して現金などの支払い処理をすることができる。従って、決済機能を有する携帯電話やカードを所持する顧客にも、所持していない顧客にも対応可能な記録装置を提供することができる。そして、顧客の様々なカードや支払い方法に対応できる。
【０００８】
また、プリンター（記録装置）側で電子マネーの対応をするので、ＰＯＳ端末（記録制御装置）に電子マネーの機能を付加する必要がないので、費用や時間が節約できる。電子マネー決済のときは、無駄なレシートも発行しなくて済む。
【０００９】
［適用例２］前記携帯装置と無線通信をする無線通信部を備え、前記検出部は、前記無線通信部であり、前記携帯装置が近接したことを、前記携帯装置からの無線通信を検知したことにより検出することを特徴とする上記の記録装置。
【００１０】
この構成によれば、携帯電話と無線通信する機能を用いて携帯電話やカードが近接したことを検出するので、スイッチなどを備える必要がない。
【００１１】
［適用例３］操作部を備え、前記通信部が前記記録制御装置から前記決済情報を受信したとき、前記携帯装置が近接したことを前記検出部が検出しており、前記操作部からの入力がある場合、前記決済処理部は前記携帯装置に対し決済処理をし、前記操作部からの入力がない場合、前記記録部は前記記録媒体に対し前記決済情報を記録することを特徴とする上記の記録装置。
【００１２】
この構成によれば、操作部が入力を検出した場合、決済処理部は携帯装置に対し決済処理をするので、決済処理をするタイミングをオペレーターが図ることができる。
【００１３】
［適用例４］前記決済処理部は前記携帯装置により前記決済情報に基づく決済が可能かを判断し、決済が可能と判断した場合、前記決済処理部は、前記携帯装置に対し決済処理をし、決済が可能でないと判断した場合、前記記録部は前記記録媒体に対し前記決済情報を記録することを特徴とする上記の記録装置。
【００１４】
この構成によれば、決済処理が可能でない携帯装置に対しては、他の支払い処理に対応し、レシートを発行することができる。
【００１５】
［適用例５］タイマーを備え、前記決済処理部は前記携帯装置に対し決済処理をする場合、前記タイマーに基づき処理する時刻の情報を含めて決済処理をし、前記記録部は前記記録媒体に対し前記決済情報を記録する場合、前記タイマーに基づき記録する時刻の情報を含めて記録することを特徴とする上記の記録装置。
【００１６】
この構成によれば、決済処理するときの公信性を保つため、タイムスタンプを付加することができる。
【００１７】
［適用例６］前記決済処理部は、前記携帯装置に対し決済処理をした場合、前記記録制御装置に対し前記決済処理をした旨の情報を送信することを特徴とする上記の記録装置。
【００１８】
この構成によれば、ＰＯＳ端末側は、電子マネー決済が済んだことが検知でき、現金やクレジットカードの決済処理をしなくて済むことがわかる。
【００１９】
［適用例７］決済機能を有する携帯装置および記録制御装置と接続可能な記録装置の制御方法であって、前記記録制御装置から決済情報を受信したときにおいて、前記携帯装置が近接したことを検出した場合、前記携帯装置に対し決済処理を行い、前記携帯装置が近接したことを検出しない場合、記録媒体に対し前記決済情報を記録することを特徴とする記録装置の制御方法。
【００２０】
この方法によれば、決済機能を有する携帯電話やカードを所持する顧客にも、所持していない顧客にも対応可能な記録装置を提供することができる。そして、顧客の様々なカードや支払い方法に対応できる。また、プリンター（記録装置）側で電子マネーの対応をするので、ＰＯＳ端末（記録制御装置）に電子マネーの機能を付加する必要がないので、費用や時間が節約できる。
【００２１】
［適用例８］決済機能を有する携帯装置および記録制御装置と接続可能な記録装置の各部を制御する制御部が実行するプログラムであって、前記記録制御装置から決済情報を受信したときにおいて、前記携帯装置が近接したことを検出した場合、前記携帯装置に対し決済処理を行い、前記携帯装置が近接したことを検出しない場合、記録媒体に対し前記決済情報を記録することを特徴とするプログラム。
【００２２】
このプログラムによれば、決済機能を有する携帯電話やカードを所持する顧客にも、所持していない顧客にも対応可能な記録装置を提供することができる。そして、顧客の様々なカードや支払い方法に対応できる。また、プリンター（記録装置）側で電子マネーの対応をするので、ＰＯＳ端末（記録制御装置）に電子マネーの機能を付加する必要がないので、費用や時間が節約できる。
【図面の簡単な説明】
【００２３】
【図１】本願発明に係るプリンターの概略図。
【図２】本願発明に係るプリンターのブロック図。
【図３】本願発明に係るカードのブロック図。
【図４】本願発明に携帯装置による決済処理のフローチャート。
【発明を実施するための形態】
【００２４】
以下、本発明の実施形態について、図面を参照して説明する。なお、以下の各図においては、各層や各部材を認識可能な程度の大きさにするため、各層や各部材の尺度を実際とは異ならせしめている。
【００２５】
（プリンターの概略構成について）
本実施形態に係る記録装置としてのプリンターの概略構成について、図１および図２を参照して説明する。図１は、本願発明に係るプリンターの概略図である。図２は、本願発明に係るプリンターのブロック図である。
【００２６】
図１に示すように、プリンター１は、互いに対向する記録部としてのヘッド１０１とプラテン１０３により記録媒体としての紙１０９を挟持し、プラテン１０３の回転により搬送する。紙１０９はロール紙１０５にロール状に巻かれており、プラテン１０３の回転に伴ってロール紙１０５から引き出される。ヘッド１１０はサーマルヘッドであり、紙１０９に決済情報の印刷を行う。印刷された紙１０９は、カッター１０７で切断され、レシートとして顧客へ渡される。また、スイッチなどの操作部１２３により、オペレーターの操作を検出し、紙１０９の紙送り等を行う。また、プリンター１で発生したエラー等をオペレーターにアナウンスするため、ＬＣＤなどの表示部１２１やスピーカー１０６等を備えている。
【００２７】
プリンター１には、携帯装置としての決済処理機能付きのカード３や携帯電話などの装着する装着部１１７があり、顧客または店舗のオペレーターが、例えば、カード３を装着部１１７に装着すると、スイッチやセンサーなどの検出器１１９により装着されたことが検出される。カード３には、顧客の預金残高やＩＤ、口座番号などの金融情報が書き込まれている。プリンター１のカード３が装着される面側には、無線通信部としてのリードライト部１１５が配置されている。これらの金融情報をリードライト部１１５により、読み取りまたは書き込みを行う。これらの制御は、基板１１１に搭載されている素子によって行われる。
【００２８】
なお、カード３が非接触型のＩＣカードや携帯電話である場合、リードライト部１１５はアンテナ１５０を備え、無線通信可能に構成される。カード３が、電極が露出した接触型のＩＣカードである場合、リードライト部１１５は電極に対応したピンを備えて通信可能に構成される。また、両方に対応する構成とすることも可能である。
【００２９】
図２に示すように、プリンター１は、通信部１３１（Ｉ／Ｆ）を介してＰＯＳ端末等の記録制御装置としてのコンピューター２と接続され、決済情報などの受信データを受信する。プリンター１内の処理は、ＲＯＭ１３５に書き込まれたファームにより決済処理部としてのＣＰＵ１３３が実行して行う。ＣＰＵ１３３等は、図１に示す基板１１１に搭載されている。
【００３０】
ＲＡＭ１３７は、受信した受信データや、リードライト部１１５でカード３を読み取ったデータやカード３に書き込むデータなどを一時記憶するワークエリアとして使用される。また、タイマー１４１の日時データを読み込み、ＲＡＭ１３７に書き込む。
【００３１】
書き換え可能な不揮発性メモリーであるフラッシュＲＯＭ１３９には、プリンター１の各種処理の条件等が設定されている。例えば、カード３か携帯電話のいずれに対応するか、カード３の場合、非接触型か接触型、携帯電話のいずれに対応するか、さらに、カード３がプリペイド型かクレジット型など、どの支払い方法に対応するか、などを設定する。またフラッシュＲＯＭ１３９には、店舗のロゴデータなどの付加情報を記憶しておき、レシートを発行する際に読み出して印刷する。
【００３２】
（プリンターの動作について）
ここで、上述のプリンターの動作について、場合分けをして説明する。
【００３３】
（レシートの発行動作について）
まず、レシートを発行する場合について説明する。コンピューター２から通信部１３１を介して決済情報を受信すると、ＲＡＭ１３７へ書き込む。検出部１１９によりカード３がプリンター１に装着されていないと判断すると、ＲＯＭ１３５に書き込まれたファームに基づき、ＣＰＵ１３３が各部を制御して、レシートを印刷する。まず、フラッシュＲＯＭ１３９のロゴデータを読み出して、プラテン１０３を制御して紙１０９を搬送しながら、ヘッド１０１で印刷をする。次に、ＲＡＭ１３７の日時データを読み込み、印刷する。さらに、ＲＡＭ１３７の決済情報を読み込み、印刷する。最後に、カッター１０７で紙１０９を切断し、レシートを発行する。
【００３４】
（カード決済処理について）
次いで、図２を参照しながら、カード３で決済する場合について説明する。非接触型のカード３や携帯電話に対応するためには、リードライト部１１５はアンテナ１５０を備え、無線通信可能に構成される。カード３が、電極が露出した接触型のＩＣカードに対応するためには、リードライト部１１５は電極に対応したピンを備えて通信可能に構成される。図２では、カード３が非接触型のＩＣカードや携帯電話である場合として示している。カード３と無線通信を行うため、アンテナ１５０およびリードライト部１１５が配置されている。アンテナ１５０を介して所定の周波数の電磁波をカード３に印加し、リードライト部１１５で金融情報を読み取り、ＲＡＭ１３７に一時記憶する。
【００３５】
フラッシュＲＯＭ１３９にクレジットの支払い方法に対応することが設定されている場合、読み取った金融情報に含まれるＩＤ等により、無線ＬＡＮ１０８を介して与信センター４のサーバーに照会し、カード３による取り引きが可能かを判断する。取り引き可能な場合は、無線ＬＡＮ１０８を介してカード会社のサーバーに対しオンラインで決済処理をするか、プリンター１で金融情報や決済情報等を印刷し、顧客のサインを得てオフラインで決済処理をする。これらの決済処理が終了した場合、ＲＡＭ１３７に記憶している日時データをタイムスタンプとして、終了した旨の通知に付加してコンピューター２に送信する。
【００３６】
（プリペイド決済処理について）
プリペイドの支払い方法に対応することが設定されている場合、カード３からリードライト部１１５を介して金融情報に含まれる残金を読み取り、ＲＡＭ１３７に一時記憶する。コンピューター２から受信しＲＡＭ１３７へ書き込まれている決済情報に基づき、支払い金を計算し、残金から引いた金額を、リードライト部１１５を介してカード３に書き込む。これらの決済処理が終了した場合、ＲＡＭ１３７に記憶している日時データをタイムスタンプとして、終了した旨の通知に付加してコンピューター２に送信する。
【００３７】
（携帯装置による決済処理について）
次いで、携帯装置による決済処理について、図３および図４を参照して説明する。図３は、本願発明に係るカードのブロック図であり、詳しくは非接触型のＩＣカードを適用した場合のブロック図である。図４は、本願発明に係る携帯装置による決済処理のフローチャートである。
【００３８】
図３に示すように、カード３は、コイル状のアンテナ３０１と、所定の周波数の電磁波によりデータの送受信を行う無線回路３０３とによって、プリンター１と無線通信ができるように構成されている。書き換え可能な不揮発性メモリーであるＲＯＭ３０７に制御プログラムや、顧客の預金残高、ＩＤ、口座番号などの金融情報が記憶されている。ＲＡＭ３０９は、送受信データなどを一時記憶するワークエリアとして使用される。受けた電磁波によりアンテナ３０１のコイルで発生した電力により、各ＩＣが動作可能とされる。
【００３９】
上述のカード３を用いた決済処理の流れについて以下に説明する。
図４に示すように、ステップＳ０１では、コンピューター２（ＰＣ）から通信部１３１（Ｉ／Ｆ）を介して決済情報を受信する。そして受信した決済情報を、図２に示すＲＡＭ１３７へ書き込み、ステップＳ０３に進む。
【００４０】
ステップＳ０３では、カード３がプリンター１に装着されているか否かを検出する。図１，２に示す検出器１１９によりカード３がプリンター１に装着されていない（Ｎｏ）と判断すると、ステップＳ１９に進む。
【００４１】
ステップＳ１９では、図２に示すＲＯＭ１３５に書き込まれたファームに基づき、ＣＰＵ１３３が各部を制御し、フラッシュＲＯＭ１３９のロゴデータを読み出して、プラテン１０３を制御して紙１０９を搬送しながら、ヘッド１０１で印刷をする。次に、ＲＡＭ１３７の日時データを読み込み、印刷する。さらに、ＲＡＭ１３７の決済情報を読み込み、印刷する。
【００４２】
ステップＳ２１では、カッター１０７で紙１０９を切断し、レシートとして発行して決済処理を終了する。なお、レシート発行する場合は、顧客は現金等、他の方法で決済をすることになる。
【００４３】
ステップＳ０３で、検出器１１９によりカード３がプリンター１に装着されている（Ｙｅｓ）と判断すると、ステップＳ０５に進む。ステップＳ０５では、アンテナ１５０を介して所定の周波数の電磁波をカード３に印加し、リードライト部１１５で通信確立するためのポーリングを行う。
【００４４】
ステップＳ０７では、通信が確立したか否かを判定する。通信が確立できなかった（Ｎｏ）場合は、カード３による決済が不可能と判断し、ステップＳ１９に進み上記と同様にレシート発行を行う。
【００４５】
なお、カード３が接触型の場合は、ステップＳ０５のポーリングは必要ではなく、ステップＳ０７の通信確立の判断の代わりに、接触した電極を介して通信が可能かを判断する。また、ステップＳ０３のカード検出の判断の代わりに、非接触型のカード３の場合は通信確立できたかを、接触型のカード３の場合は通信可能になったかにより、カード３を検出したことを判断することもできる。また、ステップＳ０３のカード検出の判断の代わりに、オペレーターが操作部１２３を操作したことを検出したことにより、カード３が装着されたものとして、ステップＳ０５のポーリングを行うこともできる。
【００４６】
ステップＳ０７において、リードライト部１１５で通信が確立できた（Ｙｅｓ）場合は、ステップＳ０９に進む。ステップＳ０９では、口座等に残金があるか否か、すなわちカード３決済が可能か否か判定する。カード３から金融情報を読み取り、ＲＡＭ１３７に一時記憶する。フラッシュＲＯＭ１３９にクレジットの支払い方法に対応することが設定されている場合は、読み取った金融情報に含まれるＩＤ等により、無線ＬＡＮを介して与信センター４（サーバー）に照会し、カード３による取り引きが可能か、すなわち口座の残金が十分か判断する。
【００４７】
ステップＳ０９において、フラッシュＲＯＭ１３９にプリペイドの支払い方法に対応することが設定されている場合、読み取った金融情報に含まれる残金が、受信した決済情報よりＣＰＵ１３３が算出した支払い金額に対し十分かどうかを判断する。残金が十分でない（Ｎｏ）と判定された場合は、カード３による決済が不可能と判断し、ステップＳ１９に進み、上述と同様にレシート発行を行う。残金が十分である（Ｙｅｓ）と判定された場合は、カード３による決済が可能と判断してステップＳ１１に進む。
【００４８】
ステップＳ１１でクレジットの場合、無線ＬＡＮを介してカード会社のサーバーに対しオンラインで決済情報を送信し決済処理をする。そして、カード３に対して、決済情報を送信し書き込む。さらに、ステップＳ１３では、決済情報に基づき支払い金を計算し、残金から引いた差し引きの金額を、リードライト部１１５を介してカード３に送信し書き込む。
【００４９】
ステップＳ１５では、ＲＡＭ１３７に記憶している日時データをタイムスタンプとして、リードライト部１１５を介してカード３に送信し書き込む。そして、ステップＳ１７で、すべての処理が終了すると、ブザーやスピーカー１０６を鳴動したり、表示部１２１により終了した旨を表示する。さらに、終了した旨の通知をコンピューター２に送信する。なお、カード３による決済処理をした場合であっても、オペレーターが操作部１２３を操作したことを検出すると、レシートを発行するようにしてもよい。
【００５０】
以上述べたように、本実施形態に係るプリンター１によれば、以下の効果を得ることができる。
（１）決済機能を有するカード３や携帯電話を所持する顧客にも、所持していない顧客にも対応可能なプリンター１を提供することができる。そして、顧客の様々なカードや支払い方法に対応できる。
【００５１】
（２）また、プリンター１側でいわゆる電子マネーの対応をするので、コンピューター２に電子マネーの機能を付加する必要がないので、費用や時間が節約できる。
【００５２】
（３）さらに、電子マネーで決済する顧客には、レシートを発行しないので、無駄なレシート発行を抑制でき、環境にも配慮できる。
【符号の説明】
【００５３】
１…記録装置としてのプリンター、２…記録制御装置としてのコンピューター、３…携帯装置としてのカード、４…与信センター、１０１…記録部としてのヘッド、１１５…無線通信部としてのリードライト部、１１９…検出部、１３１…通信部、１３３…決済処理部としてＣＰＵ、１４１…タイマー。
【図１】
2012208764.tif 000003
【図２】
2012208764.tif 000004
【図３】
2012208764.tif 000005
【図４】
2012208764.tif 000006